(57)【要約】【課題】体液、膿の滲出を伴う、皮膚の疾病に対して、ガーゼ、絆創膏のように用いられる疾病皮膚治療具に関する。より詳しくは、褥瘡（床擦れ）に対して、その予防、さらに褥瘡発症後は早期治癒に効果的な褥瘡予防具を提供する。【解決手段】革と、前記革に起立する毛とからなり、前記毛の長さが３〜１０ｍｍの範囲であり、体液、膿の滲出を伴う皮膚疾病患部に、前記毛が直接押し当てられることを特徴とする疾病皮膚治療具の構成、革と、前記革に起立する毛とからなり、前記毛の長さが３〜１０ｍｍの範囲のムートンであって、寝具の上かつ身体の下に配置され、前記毛がある面が前記身体側に向いて使用されることを特徴とする褥瘡予防具の構成とした。【選択図】図２
2019024946.tif 000002
【特許請求の範囲】
【請求項１】
革と、前記革に起立する毛とからなり、
前記毛の長さが３〜１０ｍｍの範囲であり、
体液、膿の滲出を伴う皮膚疾病患部に、前記毛が直接押し当てられることを特徴とする疾病皮膚治療具。
【請求項２】
前記革と毛が、ムートンであることを特徴とする請求項１に記載の疾病皮膚治療具。
【請求項３】
前記毛に、消毒薬を塗布したことを特徴とする請求項１又は請求項２に記載の疾病皮膚治療具。
【請求項４】
前記消毒薬が、ヨウ素を含むことを特徴とする請求項３に記載の疾病皮膚治療具。
【請求項５】
さらに、前記疾病皮膚への貼付手段として、電気絶縁性のビニルテープを備えることを特徴とする請求項１〜請求項４の何れか１項に記載の疾病皮膚治療具。
【請求項６】
前記疾病皮膚が、褥瘡であることを特徴とする請求項１〜請求項５の何れか１項に記載の疾病皮膚治療具。
【請求項７】
革と、前記革に起立する毛とからなり、
前記毛の長さが３〜１０ｍｍの範囲のムートンであって、
寝具の上かつ身体の下に配置され、前記毛がある面が前記身体側に向いて使用されることを特徴とする褥瘡予防具。
【発明の詳細な説明】
【技術分野】
【０００１】
本願発明は、体液、膿の滲出を伴う、皮膚の疾病に対して、ガーゼ、絆創膏のように用いられる疾病皮膚治療具に関する。より詳しくは、褥瘡（床擦れ）に対して、その予防、さらに褥瘡発症後は早期治癒に効果的な褥瘡予防具、褥瘡治療具に関する。
【背景技術】
【０００２】
ここで、皮膚の疾病としては、例えば、皮膚の火傷、擦り傷、化膿、潰瘍などの怪我、病気が挙げられる。なお、「皮膚の疾病」を、単に「疾病皮膚」、「患部」、「皮膚疾病患部」とも称することがある。
【０００３】
また、「褥瘡」とは、「床擦れ」ともいわれ、寝返り（体位変換）ができない寝たきりの、高齢者、重度の障害者などに見られる皮膚疾病（図１）である。寝たきりで、同じ姿勢で同じ箇所に寝具が接触して、長時間同じ箇所が圧迫されると、圧迫箇所に局所的な血流障害が起き、その圧迫箇所が赤み帯び（血液が血管外に漏れ出す）、その後程なく（２時間〜半日で）圧迫箇所の壊死が起こり始める。そして、圧迫箇所は、潰瘍（褥瘡）になり、悪化すると、筋肉、骨が露出するまで皮膚がえぐられ、なかなか治らない。
【０００４】
褥瘡が発生しやすい場所は、骨が突出した部位で、仙骨、大転子など、概ね決まっている。また、褥瘡は患部を清浄に保たないと、細菌感染し、化膿し、最悪の場合には死に至ることもある。
【０００５】
褥瘡の予防としては、従来は、長時間の同じ部位への圧迫を回避するため、定期的（２−４時間ごと）に体位交換を補助すること、圧迫部分をマッサージすること、体圧分散寝具を利用することなどである。しかし、在宅で１，２名の看護者が、所定時間内に、継続して体位交換をするにことは極めて困難で、現実的でない。
【０００６】
他方、介護施設であても、多数の入所者がいる場合には、体位交換だけをする看護師が必要で、そのような看護師を確保することはなかなか困難で、十分な褥瘡予防が行えないのが現状である。また、体圧分散寝具は、体位変換時間を伸ばすことに有効あっても、体位変換回数が十分でないと、やはり褥瘡は発生してしまう。
【０００７】
また、褥瘡発症後の治療としては、従来は、患部に治療用、保湿用クリーム等を塗り、ガーゼをして、患部を保護して、空気中の雑菌に感染させないようすると共に乾燥を防ぐ。また、褥瘡の治療に、患部の乾燥を促す、サンドシュガー方式も行われているが、治癒させるまでに至っていない。
【０００８】
他方、特許文献１には褥瘡防止シート、ベッドパット，特許文献２には褥瘡の治療材が公開されている。しかしながら、いずれも、薬剤に注目して、シート、マットなどの寝具生地の素材、疾病箇所へ直接接触するガーゼ、包帯などの織布、不織布等（以下、単に「布材」ともいう）については、十分な検討がされていない。
【０００９】
褥瘡の治癒は、壊死した部分に、皮膚が徐々に再生していくものであり、従来の布材は、その治癒途中の疾病面に、織布、不織布の繊維が平行に接触しており、滲出液と繊維が密着、固着して、通気性が悪く、また乾燥が進んだ場合には布材の交換と共に折角の再生組織も剥離され、褥瘡治癒の遅延要因となっていた。
【先行技術文献】
【特許文献】
【００１０】
【特許文献１】ＷＯ０１／０４７４６１号公報
【特許文献２】特開２０１６−７７５１４号公報
【発明の概要】
【発明が解決しようとする課題】
【００１１】
そこで、本発明は、体液、膿の滲出を伴う、皮膚の疾病に対して、ガーゼ、絆創膏のように用いられる疾病皮膚治療具に関する。より詳しくは、褥瘡（床擦れ）に対して、その予防、さらに褥瘡発症後は早期治癒に効果的な褥瘡予防具、褥瘡治療具を提供することを目的とする。
【課題を解決するための手段】
【００１２】
上記の課題を解決するために、発明者は、疾病皮膚の治療等に対して、皮膚に接触する布材を検討した結果、以下の発明を完成するに至った。
（１）
革と、前記革に起立する毛とからなり、
前記毛の長さが３〜１０ｍｍの範囲であり、
体液、膿の滲出を伴う皮膚疾病患部に、前記毛が直接押し当てられることを特徴とする疾病皮膚治療具。
（２）
前記革と毛が、ムートンであることを特徴とする（１）に記載の疾病皮膚治療具。
（３）
前記毛に、消毒薬を塗布したことを特徴とする（１）又は（２）に記載の疾病皮膚治療具。
（４）
前記消毒薬が、ヨウ素を含むことを特徴とする（３）に記載の疾病皮膚治療具。
（５）
さらに、前記疾病皮膚への貼付手段として、電気絶縁性のビニルテープを備えることを特徴とする（１）〜（４）の何れか１に記載の疾病皮膚治療具。
（６）
前記疾病皮膚が、褥瘡であることを特徴とする（１）〜（５）の何れか１に記載の疾病皮膚治療具。
（７）
と、前記革に起立する毛とからなり、
前記毛の長さが３〜１０ｍｍの範囲のムートンであって、
寝具の上かつ身体の下に配置され、前記毛がある面が前記身体側に向いて使用されることを特徴とする褥瘡予防具。
の構成とした。
【発明の効果】
【００１３】
本願発明は、上記構成であるので、すなわち、治療においては、疾病皮膚（火傷、擦り傷、化膿、腫瘍など）に対しても、ガーゼ、絆創膏のように治療期間繰り返し交換して使用され、疾病皮膚面に毛が直接触れ、毛同士間の毛細管現象で、細菌増殖した古い滲出液を吸い上げ、或いは細菌増殖が進まない内に滲出液を吸い上げ、滲出液の新陳代謝を図り、患部を清浄に保つことができる。
【００１４】
傷の滲出液には、傷の治癒を促進させる物資があり、早期治癒には乾燥させない方がよいとされるが、湿潤状態で細菌感染していると、却って、患部、及び他の器官に悪影響を与えることとなる。
【００１５】
また、毛が疾病皮膚に密閉的に密着することなく、革と皮膚との間に通気スペースを確保し、また革の特有の通気性能も加わり、疾病皮膚が湿り過ぎず、また過乾燥になることもなく、疾病皮膚に適度な潤いを維持する。
【００１６】
また、毛が疾病面に対して、平行でなく、略垂直に接し、すなわち、毛が点の接点の集合で疾病皮膚に接触、押し当てられるため、本発明の交換時に再生途中の皮膚の剥離もなく、皮膚の再生を阻害、遅延させない。
【００１７】
本発明は、以上のような作用、効果を有するため、疾病皮膚の皮膚再生を阻害せず、早期治療を可能にする。治療の際、毛、疾病皮膚に消毒薬を用いると、細菌を殺菌し、感染、化膿を防ぎ、一層高い治療効果が得られる。
【００１８】
他方、本発明は、通気性が極めて高く、弾力性、圧力分散性もあるため、本発明と接触する皮膚部の通気性向上、圧力分散により、褥瘡（床擦れ）の予防に効果的であり、褥瘡発症後は上述のように、早期治療を可能にする。
【図面の簡単な説明】
【００１９】
【図１】（Ａ）は臀部１０の左大転子部１０ａに発生した、褥瘡１１の治療途中の写真、（Ｂ）はその褥瘡１１の拡大写真である。膿１１ａの滲出が確認できる。
【図２】（Ａ）は図１の大転子部１０ａの褥瘡１１とその近傍の臀部１０に消毒薬３を塗布した状態の写真と、そこに貼付するため、本発明の疾病皮膚治療具１の貼付面に消毒薬３を塗布したときの本発明の貼付面の写真である。（Ｂ）は（Ａ）の大転子部１０ａの褥瘡１１部分に本発明の疾病皮膚治療具１を貼付したときの写真である。
【図３】（Ａ）は本発明の疾病皮膚治療具１を繰り返し交換貼付している治療中の治癒途中の褥瘡１１の写真である。（Ｂ）は治療終了時点の大転子部１０ａの完治した状態の写真である。
【発明を実施するための形態】
【００２０】
以下、本願発明について写真を参照して詳細に説明する。なお、本発明は、以下の実施例に限定されるものではない。
【実施例１】
【００２１】
本発明である疾病皮膚治療具１は、図２に示すように、革２ａ（ここでは羊の革）と、革２ａに起立する（生える）毛（ここでは羊毛２ｂ）と、さらに、疾病皮膚への貼付手段として、電気絶縁性のビニルテープ４を備えてなる。羊毛付き革２ａは、すなわち、ムートン２である。
【００２２】
革２ａは、動物の皮を乾燥させたもの等で、適度の通気性を備える。革２ａとして使用できる動物の皮としては、毛との関係で、羊皮が最適であるが、その他、毛を接着、植毛等して、毛足を本発明の範囲にすれば、牛、馬、豚など他の動物の皮も使用できる。羊の革であれば、ラム肉生産の際に廃棄物として多量にあり、それを利用すれば資源の有効活用にも資する。また、革２ａとして、動物の皮と同様の通気性を備えれば、シートの擬似、代替品であってもよい。従って、擬似、代替品でも本発明の革の範囲に含まれるものとする。
【００２３】
毛は、動物の毛、繊維などで、患部に先端部が接触し、毛細管現象で、患部から滲出液を吸い上げ、患部の滲出液の更新を図る。
【００２４】
また、毛の大多数の長さが３〜１０ｍｍの範囲であり、望ましくは５〜８ｍｍで、さらに望ましくは７〜８ｍｍであり、血液などの体液、膿の滲出を伴う皮膚疾病患部に、毛が先端部で直接押し当てられ、効果の段落に記載のように、滲出液を吸収して滲出液の更新を図り、患部の清浄を保ちつつ、通気性、湿度保持を兼務する。
【００２５】
毛足が短いと毛細管現象による吸収量が少ない。一方、毛足が長いと毛の先端部による毛と疾病皮膚との接触でなく、毛が横寝て疾病皮膚面に長手方向で接触し、毛細管現象も殆どない。適切の範囲でない短長いずれの長さであっても、疾病皮膚と革２ａとの間に通気スペースが確保されず、通気性が低下し、細菌増殖が起きやすい。毛が短すぎても、長すぎても、疾病皮膚に密着して通気性が失われ、適度な乾燥、潤い状態を維持できなくなる。
【００２６】
比較試験（治療）の結果、最適な毛足の長さは７〜８ｍｍであった。その範囲であれば、皮膚と革２ａとの間に、空気の流れる通気スペースを確保することができき、適度な潤いと乾燥状態にすると共に、滲出液の吸収、更新を促し、患部の清浄度を保つことができる。
【００２７】
電気工事用の絶縁性のビニルテープ４を用いることで、貼付の皮膚の炎症を医療用紙テープの繰り返し貼付の場合より抑えられる。医療用紙テープは粘着性が強く、繰り返しの貼付で貼付部分の皮膚がかぶれることがあるが、ビニルテープ４の粘着度は適度で繰り返しの貼付でも貼付部分の皮膚のかぶれ、炎症が抑えられている。
【００２８】
ビニルテープ４を用いて、疾病皮膚治療具１を疾病皮膚に押し当てる場合、接触面が密着、密封されないよう、通気スペースを確保して貼付する。ここでは、ビニルテープ４を四方に貼付せず、疾病皮膚治療具１の四方に通気口が確保されるよう十文字にクロスさせて使用し、褥瘡１１に疾病皮膚治療具１を押し当てある。
【００２９】
疾病皮膚治療具１からの細菌感染を防止するため、また、殺菌、治療の効果を高めるため、毛に、消毒薬３を塗布するとよい。消毒薬としては、例えば、ヨウ素を含むもの、より具体的には、希ヨードチンキなどが例示できる。疾病皮膚治療具１の他の殺菌手段として、オートクレーブなども利用できる。疾病皮膚にも、消毒薬３を塗布するとよい。特に、褥瘡１１では、消毒薬３を患部に塗布することで細菌感染、化膿が押さえられ、消毒薬がない場合より治療期間が短くてすむ。
【実施例２】
【００３０】
次に、図１〜３を参照して、本発明である疾病皮膚治療具１による褥瘡の治療方法について説明する。
【００３１】
先ず、図１の褥瘡１１に対して、図２（Ａ）に示すように、褥瘡１１を含む大転子部１０ａをキレイに拭き取り、消毒薬３である希ヨードチンキを塗布した。臀部には、排泄物が付着し、化膿、褥瘡１１が悪化しやすい。また、図２（Ａ）に示されているように、疾病皮膚治療具１は、ムートン２を患部の面積にあった大きさに切り抜き、羊毛２ｂを所定の長さ７〜８ｍｍに切り揃え、羊毛２ｂの先端部にも消毒薬３である希ヨードチンキを塗布した。
【００３２】
次に、図２（Ｂ）に示すように、疾病皮膚治療具１の消毒薬３を塗布した羊毛２ｂのある面を褥瘡１１に直接触れるように、押し当て、疾病皮膚治療具１の周囲を全て密封しないよう、電気工事用の絶縁性のビニルテープ４を十文字にクロスさせ、皮膚と革２ａとの間に通気スペースを確保して貼付した。
【００３３】
これにより、効果の段落に記載した作用、効果が得られ、早期治療を可能にする。そして、一定時間ごと（１２〜２４時間）に、古い疾病皮膚治療具１を剥がし（再生組織が剥がれにくい）、新しい疾病皮膚治療具１に交換する。その際、消毒薬３も都度、患部、疾病皮膚治療具１の羊毛２ｂの先端部にも塗布する。
【００３４】
医師による本発明の疾病皮膚治療具１を用いた褥瘡１１治療施術では、治療開始から２日間で図１,２の状態になり、さらに３日間の治療継続で褥瘡１１は図３（Ａ）のかさぶた１１ｂになり、引き続き５日間（治療開始から合計１０日間）の治療を継続することで、図１の褥瘡１１は、図３（Ｂ）の瘡痕状の治療痕１１ｃを残して、従来の施術に比べ極めて短い期間で完治した。なお、被験者は、８９歳女性、要介護５の認定を受けており、自己体位変換は思うようにできない。
【００３５】
本発明である疾病皮膚治療具１は、実施例１に示されるように、羊毛２ｂの毛足を３〜１０ｍｍに短く切りそろえて用いた。疾病皮膚治療具１の形状、大きさ、貼付方式は、対象によって、適宜変更する。
【００３６】
本発明を用いた褥瘡の治療（消毒薬３併用）では、褥瘡の進行度に応じて、２日〜１０日程度で治癒する。また、治療痕１１ｃは、図３（Ｂ）に示すように、瘢痕状で、他の皮膚より厚く丈夫で、褥瘡が再発しにくい。
【００３７】
本発明である疾病皮膚治療具１による患部の治療方法の要点は、革などのシートに起立する毛細管現象を有する密集度の毛などの繊維の先端部を患部に当て、患部から滲出液を吸い上げ、患部の滲出液の更新を図りつつ、患部の過度の乾燥、湿潤を防止し、適度な通気と潤いを維持し、患部を清浄にするとともに、皮膚再生を促すことである。
【００３８】
その際、患部、繊維先端に、消毒薬を塗布すると細菌の殺菌、感染防止になり、より効果的な治療が可能になる。疾病皮膚治療具１の交換は、１２時間〜２４時間程度の間隔でよい。本発明の疾病皮膚治療具１の利用により、患部の皮膚の再生能力を阻害させず、短期間で患部の治癒を可能にする。
【実施例３】
【００３９】
本発明の褥瘡予防具は、実施例１の革２ａと、革２ａに起立する３〜１０ｍｍ程度の長さの毛（ここでは羊毛２ｂ）とからなり、寝具の上で、かつ身体の下に配置され、毛がある面が身体側に向いて使用される。毛が起立するとは、毛が革２ａから天然として生える、革２ａに接着する、革２ａに植毛するなどして、革２ａの面に対して毛の長手方向が略垂直にあることをいう。そして。毛は、密集して、毛細管現象が働く間隔であることを要する。これにより、身体に係る圧力の分散と、通気性を確保して、褥瘡の予防できる。褥瘡発症後は、褥瘡治療具となる。
【符号の説明】
【００４０】
１      疾病皮膚治療具
２      ムートン
２ａ    革
２ｂ    羊毛
３      消毒薬
４      ビニルテープ
１０    臀部
１０ａ  大転子部
１１    褥瘡
１１ａ  膿
１１ｂ  かさぶた
１１ｃ  治療痕
【図１】
2019024946.tif 000003
【図２】
2019024946.tif 000004
【図３】
2019024946.tif 000005
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
革と、前記革に起立する毛とからなり、
前記毛の長さが３〜１０ｍｍの範囲であり、
体液、膿の滲出を伴う皮膚疾病患部に対して、前記毛の長手方向が平行でなく略垂直に位置し、前記毛の先端部が皮膚疾病患部に点で接して、前記点の集合が直接押し当てられることを特徴とする疾病皮膚治療具。
【請求項２】
前記革と毛が、ムートンであることを特徴とする請求項１に記載の疾病皮膚治療具。
【請求項３】
前記毛に、消毒薬を塗布したことを特徴とする請求項１又は請求項２に記載の疾病皮膚治療具。
【請求項４】
前記消毒薬が、ヨウ素を含むことを特徴とする請求項３に記載の疾病皮膚治療具。
【請求項５】
さらに、前記疾病皮膚への貼付手段として、電気絶縁性のビニルテープを備えることを特徴とする請求項１〜請求項４の何れか１項に記載の疾病皮膚治療具。
【請求項６】
前記疾病皮膚が、褥瘡であることを特徴とする請求項１〜請求項５の何れか１項に記載の疾病皮膚治療具。
【請求項７】
革と、前記革に起立する毛とからなり、
前記毛の長さが３〜１０ｍｍの範囲のムートンであって、
寝具の上かつ身体の下に配置され、前記毛がある面が前記身体側に向けられ、かつ前記毛の長手方向が前記身体に対して平行でなく略垂直に位置し、前記毛の先端部が前記身体側に点で接して、前記点の接点の集合が身体に向けられ使用されることを特徴とする褥瘡予防具。
【手続補正２】
【補正対象書類名】明細書
【補正対象項目名】００２５
【補正方法】変更
【補正の内容】
【００２５】
毛足が短いと毛細管現象による吸収量が少ない。一方、毛足が長いと毛の先端部による毛と疾病皮膚との接触でなく、毛が横に寝て疾病皮膚面に長手方向で接触し、毛細管現象も殆どない。